(57)【特許請求の範囲】
【請求項１】
発光素子と、前記発光素子の光を遮断させる光遮断片と、前記光遮断片を回転運動させる取り付け台と、前記光遮断片の回転運動を規制する回転規制壁と、前記光遮断片を通過した光を検出する光検出素子からなる第１と第２の同一構成の２つの光検出スイッチを備え、前記第１の光検出スイッチの取り付け角度を、前記第２の光検出スイッチの取り付け角度と変えて配置することを特徴とする位置検出装置。
【請求項２】
回転規制壁と接触する光遮断片の部位に突起物を設けたことを特徴とする、請求項１に記載の位置検出装置。
【発明の詳細な説明】
【０００１】
【発明の属する技術分野】
本発明は、映像音響機器の設置状態の位置検出装置に関するものである。
【０００２】
【従来の技術】
従来、映像音響機器の設置状態の位置検出装置は、可動接触導通片により、端子間を導通する傾斜センサーを用いた装置が知られている。傾斜センサーの断面図を図４に示す。図４において、４０１は可動接触導通片、４０２はカバー、４０３はケース、４０４は導通端子１、４０５は導通端子２である。
【０００３】
このような傾斜センサーを用いた位置検出装置の動作を以下に説明する。傾斜センサーが水平状態のとき、可動接触導通片４０１は導通端子１と導通端子２の上に位置することにより導通端子１と導通端子２を電気的に結合する。これに対して、傾斜センサーが垂直状態のとき、可動接触導通片４０１は導通端子１と導通端子２から離れることにより導通端子１と導通端子２を電気的に結合しない。これにより水平と垂直の２方向の位置検出を可能にしている。
【０００４】
しかし、直方体の外観を有する映像音響機器において、記録媒体の挿入口が正面にくるように設置した場合は、図５の機器状態に示すように機器の設置状態は４方向存在する。このとき、従来の傾斜センサーを１個用いた設置位置検出装置では、機器状態（ａ）か機器状態（ｂ），（ｃ），（ｄ）の２種類しか正確に検知できない。さらに従来の傾斜センサーを２個用いた設置位置検出装置では、図５の機器状態とセンサー状態との関係に示すとおり、機器状態（ｃ）と機器状態（ｄ）を区別して検出することができなかった。また、傾斜センサーの単品コストが高価であるという欠点も有していた。
【０００５】
【発明が解決しようとする課題】
直方体の外観を有する映像音響機器において、記録媒体の挿入口が正面にくるように設置した場合は、図５の機器状態に示すように機器の設置状態は４方向存在する。しかし、従来の傾斜センサーを１個用いた場合、または２個用いた場合でも、図５に示すような４方向の機器状態を区別して検出することができなかった。また、傾斜センサーの単品コストが高価であるという欠点も有していた。
【０００６】
本発明は、上記のような課題を解決するもので、簡単な構成で、４方向の設置状態を区別して検出できる、映像音響機器の設置状態の位置検出装置を提供することを目的とするものである。
【０００７】
【課題を解決するための手段】
上記課題を解決するために本発明の位置検出装置は、発光素子と、前記発光素子の光を遮断させる光遮断片と、前記光遮断片を回転運動させる取り付け台と、前記光遮断片の回転運動を規制する回転規制壁と、前記光遮断片を通過した光を検出する光検出素子からなる第１と第２の同一構成の２つの光検出スイッチを備え、前記第１の光検出スイッチの取り付け角度を、前記第２の光検出スイッチの取り付け角度と変えて配置する構成にしたものである。さらに、回転規制壁と接触する光遮断片の部位に突起物を設けたものである。
【０００８】
【発明の実施の形態】
請求項１に記載の位置検出装置は、発光素子と、発光素子の光を遮断させる光遮断片と、光遮断片を回転運動させる取り付け台と、光遮断片の回転運動を規制する回転規制壁と、光遮断片を通過した光を検出する光検出素子からなる第１の光検出スイッチと第２の光検出スイッチを備え、第１の光検出スイッチの取り付け角度を、第２の光検出スイッチの取り付け角度と変えて配置するものである。これにより、映像音響機器の４方向の設置状態を区別して検出でき、映像音響機器の表示部に設置状態に応じた表示をすることができる。
【０００９】
請求項２に記載の位置検出装置は、さらに回転規制壁と接触する光遮断片の部位に突起物を設けるものである。これにより、光遮断片を中立で停止させることなく、スムーズに次の状態に移行することができ、正確に映像音響機器の設置状態を検出することができる。
【００１０】
以下、本発明の実施の形態について、図１から図３を用いて説明する。
（実施の形態）
図１は、本発明の実施の形態における位置検出装置の、機器状態、光遮断片の状態、及び光検出スイッチの関係を示した図である。図２は、本発明の実施の形態における、４方向の機器状態における、光検出スイッチ１の光遮断片の動作状態を表している。図３は、本発明の実施の形態における位置検出装置の発光素子、光遮断片と取り付け台、及び光検出素子の３面図、及び斜視図を示し、図３の（ａ）は正面図、（ｂ）は側面図、（ｃ）は平面図、（ｄ）は斜視図である。また、図３の３０１は光遮断片、３０２は取り付け台、３０３は発光素子、３０４は光遮断片に設けられた突起物１、３０５は光検出素子、３０６は光遮断片の回転規制壁、３０７は光遮断片に設けられた突起物２を示している。
【００１１】
以上のように構成された位置検出装置において、図２、及び図３により、４方向の設置状態における光検出ＳＷ１の光遮断片の動作状態について説明する。まず機器状態が（ａ）、すなわち垂直の正規位置の場合には、光遮断片３０１は発光素子３０３と光検出素子３０５との間の信号を遮断しないため、光検出ＳＷ１はＯＮ状態となる。このとき、突起物２と回転規制壁３０６は光遮断片３０１の回転を規制すると共に、光遮断片３０１の若干の傾きを維持するため、光遮断片３０１が中立状態で停止するのを防ぐことができる。次に機器状態が（ｂ）、すなわち水平の正規位置の場合には、光遮断片３０１は発光素子３０３と光検出素子３０５の間の信号を遮断するため、光検出ＳＷ１はＯＦＦ状態となる。このとき、突起物１と回転規制壁３０６は光遮断片３０１の回転を規制すると共に、光遮断片３０１の若干の傾きを維持するため、光遮断片３０１が中立状態で停止するのを防ぐことができる。さらに機器状態が（ｃ）、すなわち垂直の不正規位置の場合には、光遮断片３０１は回転規制壁３０６により回転が規制され、発光素子３０３と光検出素子３０５の間の信号を遮断するため、光検出ＳＷ１はＯＦＦ状態となる。このとき、突起物２により光遮断片３０１は若干傾きを維持しているため、光遮断片３０１が中立状態で停止することなくスムーズに次の状態に移行することができる。最後に機器状態が（ｄ）、すなわち水平の不正規位置の場合には、発光素子３０３と光検出素子３０５の間の信号を遮断しないため、光検出ＳＷ１はＯＮ状態となる。このとき、突起物２により光遮断片３０１は若干傾きを維持しているため、光遮断片３０１が中立状態で停止することなくスムーズに次の状態に移行することができる。４方向の設置状態における、光検出ＳＷ１の取り付け角度に対して１８０度回転して配置した光検出ＳＷ２の光遮断片の動作状態も、図１及び図３により同様に説明することができる。したがって、光検出ＳＷ１とＳＷ２を用い、片方を１８０度回転して設置することにより、図１に示す４方向の設置状態でおのおの違ったセンサー状態を検出することができる。
【００１２】
以上のように本実施形態によれば、映像音響機器の４方向の設置状態を正確に区別して検出できる。その結果、例えば映像音響機器の表示部に、図１の正規位置（ａ）の場合は通常表示を、（ｂ）の場合は通常表示に対して９０度回転させた表示を、（ｃ）の場合には、記録媒体が映像音響機器のトレイから離脱してしまうために、通常表示に対して１８０度回転させたエラー表示を、及び（ｄ）の場合には、記録媒体が映像音響機器のトレイから離脱してしまうために、通常表示に対して２７０度回転させたエラー表示をそれぞれすることができ、ユーザフレンドリーな映像音響機器を提供することができる。なお、本発明の位置検出装置の光検出スイッチの形状は、図３に示すものに限定されるものではない。
【００１３】
【発明の効果】
以上のように本発明によれば、比較的安価で簡単な構成で、映像音響機器の４方向の設置状態を区別して検出でき、映像音響機器の表示部に設置状態に応じた表示をすることができるという有利な効果が得られる。さらに回転規制壁と接触する光遮断片の部位に突起物を設けることにより、光遮断片を中立で停止させることなく、スムーズに次の状態に移行することができ、正確に映像音響機器の設置状態を検出できる。
【図面の簡単な説明】
【図１】本発明の実施の形態における位置検出装置の、機器状態、光遮断片の状態、及び光検出スイッチの関係を示した図
【図２】本発明の実施の形態における光検出スイッチ１の、４方向の機器状態における光遮断片の動作状態を示した図
【図３】本発明の実施の形態における光検出スイッチの３面図及び、斜視図
【図４】従来の位置検出装置に用いられる傾斜センサーの断面図
【図５】従来の位置検出装置に用いられる傾斜センサーの、機器状態、光遮断片の状態、及び光センサースイッチの関係を示した図
【符号の説明】
３０１  光遮断片
３０２  取り付け台
３０３  発光素子
３０４  突起物１
３０５  光検出素子
３０６  回転規制壁
３０７  突起物２
４０１  可動接触導通片
４０２  カバー
４０３  ケース
４０４  導通端子１
４０５  導通端子２
【図１】
0003823808.tif 000002
【図２】
0003823808.tif 000003
【図３】
0003823808.tif 000004
【図４】
0003823808.tif 000005
【図５】
0003823808.tif 000006